(57)【要約】【課題】複数のカラー液晶表示装置の間で色が合っていないように見えるのを抑制する。【解決手段】第１カラー液晶表示装置（Ａ）の画面の基準箇所を含む複数箇所で色度を測定し、それら測定した色度の平均値を算出し、基準箇所での色度と平均値の差分で目標色度（ｘｔ，ｙｔ）を補正した値を新たな目標色度（ｘａ，ｙａ）とし、基準箇所での色度が補正した目標色度（ｘａ，ｙａ）に一致するように第１カラー液晶表示装置（Ａ）を校正する。第２カラー液晶表示装置（Ｂ）についても同様の調整を行う。【効果】複数のカラー液晶表示装置の組合せが団体規格ＪＥＳＲＡ＿Ｘ−００９３に合格する確率を高めることが出来る。【選択図】図１
2010212937.tif 000002
【特許請求の範囲】
【請求項１】
カラー液晶表示装置の画面の基準箇所を含む複数箇所で色度を測定し、それら測定した色度の平均値を算出し、前記基準箇所で測定した色度と前記平均値の差分で目標色度を補正した値を新たな目標色度とし、前記画面の基準箇所で測定した色度が前記補正した目標色度に一致するように前記カラー液晶表示装置を校正することを、複数のカラー液晶表示装置について繰り返すことを特徴とするカラー調整方法。
【請求項２】
カラー液晶表示装置の画面の所望箇所で色度を測定するための色度測定手段と、前記画面の基準箇所を含む複数箇所でそれぞれ測定した色度の平均値を算出する色度平均値算出手段と、前記基準箇所で測定した色度と前記平均値の差分を算出する差分算出手段と、前記差分で目標色度を補正した値を新たな目標色度とする目標色度補正手段と、前記基準箇所で測定した色度が前記補正した目標色度に一致するように前記カラー液晶表示装置を校正するカラーキャリブレーション手段とを具備したことを特徴とするカラー調整装置。
【請求項３】
基準カラー液晶表示装置の画面の基準箇所を含む複数箇所で色度を測定し、調整対象カラー液晶表示装置の画面の基準箇所を含む複数箇所で色度を測定し、それら測定した色度の差分の平均値を算出し、前記差分の平均値で目標色度を補正した値を新たな目標色度とし、前記画面の基準箇所で測定した色度が前記補正した目標色度に一致するように前記調整対象カラー液晶表示装置を校正することを特徴とするカラー調整方法。
【請求項４】
カラー液晶表示装置の画面の所望箇所で色度を測定するための色度測定手段と、基準カラー液晶表示装置の画面の基準箇所を含む複数箇所でそれぞれ測定した色度と調整対象カラー液晶表示装置の画面の基準箇所を含む複数箇所でそれぞれ測定した色度の差分の平均値を算出する平均差分算出手段と、前記平均差分で目標色度を補正した値を新たな目標色度とする目標色度補正手段と、前記基準箇所で測定した色度が前記補正した目標色度に一致するように前記調整対象カラー液晶表示装置を校正するカラーキャリブレーション手段とを具備したことを特徴とするカラー調整装置。
【発明の詳細な説明】
【技術分野】
【０００１】
本発明は、カラー調整方法およびカラー調整装置に関し、さらに詳しくは、複数のカラー液晶表示装置の間で色が合っていないように見えるのを抑制することが出来るカラー調整方法およびカラー調整装置に関する。
【背景技術】
【０００２】
従来、カラー液晶表示装置の画面の基準箇所（通常は画面中央部）で色度を測定し、その測定した色度が目標色度に一致するようにカラー液晶表示装置を校正する技術が知られている（例えば、特許文献１参照。）。
また、社団法人日本画像医療システム工業会が作成した団体規格ＪＥＳＲＡ＿Ｘ−００９３では、マルチモニター間の色度偏差を数値で規定している。
【先行技術文献】
【特許文献】
【０００３】
【特許文献１】特開２００２−２０９２３０号公報
【発明の概要】
【発明が解決しようとする課題】
【０００４】
カラー液晶表示装置の画面の基準箇所で色度を測定しその測定した色度が目標色度に一致するようにカラー液晶表示装置を校正することを複数のカラー液晶表示装置について繰り返せば、複数のカラー液晶表示装置の画面の基準箇所での色度特性は揃う。
しかし、カラー液晶表示装置では、画面の場所によって色度特性が異なるため、複数のカラー液晶表示装置の間で基準箇所での色度特性は揃っても、基準箇所以外での色度特性は揃わないことがある。
このため、例えば医用画像表示装置におけるマルチモニターのように複数のカラー液晶表示装置を並べて使う場合に、画面全体として見ると、複数のカラー液晶表示装置の間で色が合っていないように見えてしまう問題点があった。また、複数のカラー液晶表示装置の組合せが、団体規格ＪＥＳＲＡ＿Ｘ−００９３に不合格となることがあった。
そこで、本発明の目的は、複数のカラー液晶表示装置の間で色が合っていないように見えるのを抑制することが出来るカラー調整方法およびカラー調整装置を提供することにある。
【課題を解決するための手段】
【０００５】
第１の観点では、本発明は、カラー液晶表示装置の画面の基準箇所を含む複数箇所で色度を測定し、それら測定した色度の平均値を算出し、前記基準箇所で測定した色度と前記平均値の差分で目標色度を補正した値を新たな目標色度とし、前記画面の基準箇所で測定した色度が前記補正した目標色度に一致するように前記カラー液晶表示装置を校正することを、複数のカラー液晶表示装置について繰り返すことを特徴とするカラー調整方法を提供する。
上記第１の観点によるカラー調整方法では、基準箇所での色度を目標色度に一致させるようにカラーキャリブレーションを行うのではなく、画面の複数箇所での色度が平均的に目標色度に近くなるようにカラーキャリブレーションを行う。このため、複数のカラー液晶表示装置の間で色が合っていないように見えるのを抑制することが出来る。また、複数のカラー液晶表示装置の組合せが団体規格ＪＥＳＲＡ＿Ｘ−００９３に合格する確率を高めることが出来る。
【０００６】
第２の観点では、本発明は、カラー液晶表示装置の画面の所望箇所で色度を測定するための色度測定手段と、前記画面の基準箇所を含む複数箇所でそれぞれ測定した色度の平均値を算出する色度平均値算出手段と、前記基準箇所で測定した色度と前記平均値の差分を算出する差分算出手段と、前記差分で目標色度を補正した値を新たな目標色度とする目標色度補正手段と、前記基準箇所で測定した色度が前記補正した目標色度に一致するように前記カラー液晶表示装置を校正するカラーキャリブレーション手段とを具備したことを特徴とするカラー調整装置を提供する。
上記第２の観点によるカラー調整装置では、画面の複数箇所での色度が平均的に目標色度に近くなるようにカラーキャリブレーションを行うことが出来る。このため、これを複数のカラー液晶表示装置について繰り返せば、複数のカラー液晶表示装置の間で色が合っていないように見えるのを抑制することが出来る。また、複数のカラー液晶表示装置の組合せが団体規格ＪＥＳＲＡ＿Ｘ−００９３に合格する確率を高めることが出来る。
【０００７】
第３の観点では、本発明は、基準カラー液晶表示装置の画面の基準箇所を含む複数箇所で色度を測定し、調整対象カラー液晶表示装置の画面の基準箇所を含む複数箇所で色度を測定し、それら測定した色度の差分の平均値を算出し、前記差分の平均値で目標色度を補正した値を新たな目標色度とし、前記画面の基準箇所で測定した色度が前記補正した目標色度に一致するように前記調整対象カラー液晶表示装置を校正することを特徴とするカラー調整方法を提供する。
上記第３の観点によるカラー調整方法では、基準カラー液晶表示装置と調整対象カラー液晶表示装置の画面の基準箇所での色度を一致させるようにカラーキャリブレーションを行うのではなく、画面の複数箇所での色度が平均的に近くなるようにカラーキャリブレーションを行う。このため、基準カラー液晶表示装置と調整対象カラー液晶表示装置の間で色が合っていないように見えるのを抑制することが出来る。また、複数のカラー液晶表示装置の組合せが団体規格ＪＥＳＲＡ＿Ｘ−００９３に合格する確率を高めることが出来る。
【０００８】
第４の観点では、本発明は、カラー液晶表示装置の画面の所望箇所で色度を測定するための色度測定手段と、基準カラー液晶表示装置の画面の基準箇所を含む複数箇所でそれぞれ測定した色度と調整対象カラー液晶表示装置の画面の基準箇所を含む複数箇所でそれぞれ測定した色度の差分の平均値を算出する平均差分算出手段と、前記平均差分で目標色度を補正した値を新たな目標色度とする目標色度補正手段と、前記基準箇所で測定した色度が前記補正した目標色度に一致するように前記調整対象カラー液晶表示装置を校正するカラーキャリブレーション手段とを具備したことを特徴とするカラー調整装置を提供する。  上記第４の観点によるカラー調整装置では、基準カラー液晶表示装置と調整対象カラー液晶表示装置の画面の基準箇所での色度が平均的に近くなるようにカラーキャリブレーションを行うことが出来る。このため、基準カラー液晶表示装置と調整対象カラー液晶表示装置の間で色が合っていないように見えるのを抑制することが出来る。また、複数のカラー液晶表示装置の組合せが団体規格ＪＥＳＲＡ＿Ｘ−００９３に合格する確率を高めることが出来る。
【発明の効果】
【０００９】
本発明のカラー調整方法およびカラー調整装置によれば、複数のカラー液晶表示装置の間で色が合っていないように見えるのを抑制することが出来る。
【図面の簡単な説明】
【００１０】
【図１】実施例１に係るカラー調整装置による第１カラー液晶表示装置のカラー調整状態を示す説明図である。
【図２】実施例１に係る第１カラー液晶表示装置のカラー調整の手順を示すフロー図である。
【図３】実施例１に係る第１カラー液晶表示装置のカラー調整の進行を示す模式図である。
【図４】実施例１に係るカラー調整装置による第２カラー液晶表示装置のカラー調整状態を示す説明図である。
【図５】実施例１に係る第２カラー液晶表示装置のカラー調整の手順を示すフロー図である。
【図６】実施例１に係る第２カラー液晶表示装置のカラー調整の進行を示す模式図である。
【図７】実施例１に係るカラー調整後の第１カラー液晶表示装置の色と第２カラー液晶表示装置の色の差を示す模式図である。
【図８】従来方法によるカラー調整後の第１カラー液晶表示装置の色と第２カラー液晶表示装置の色の差を示す模式図である。
【図９】実施例２に係るカラー調整装置による第１カラー液晶表示装置のカラー調整状態を示す説明図である。
【図１０】実施例２に係る第１カラー液晶表示装置のカラー調整の手順を示すフロー図である。
【図１１】実施例２に係る第１カラー液晶表示装置のカラー調整の進行を示す模式図である。
【図１２】実施例２に係るカラー調整装置による第２カラー液晶表示装置のカラー調整状態を示す説明図である。
【図１３】実施例２に係る第２カラー液晶表示装置のカラー調整の手順を示すフロー図である。
【図１４】実施例２に係る第２カラー液晶表示装置のカラー調整の進行を示す模式図である。
【図１５】実施例２に係るカラー調整後の第１カラー液晶表示装置の色と第２カラー液晶表示装置の色の差を示す模式図である。
【図１６】従来方法によるカラー調整後の第１カラー液晶表示装置の色と第２カラー液晶表示装置の色の差を示す模式図である。
【図１７】実施例３に係るカラー調整装置による第１カラー液晶表示装置のカラー調整状態を示す説明図である。
【図１８】実施例３に係るカラー調整装置による第２カラー液晶表示装置のカラー調整状態を示す説明図である。
【図１９】実施例４に係るカラー調整装置による第１カラー液晶表示装置のカラー調整状態を示す説明図である。
【図２０】実施例４に係るカラー調整装置による第２カラー液晶表示装置のカラー調整状態を示す説明図である。
【発明を実施するための形態】
【００１１】
以下、図に示す実施の形態により本発明をさらに詳細に説明する。なお、これにより本発明が限定されるものではない。
【実施例】
【００１２】
−実施例１−
図１は、実施例１に係るカラー調整装置１０による第１カラー液晶表示装置Ａのカラー調整状態を示す説明図である。
カラー調整装置１０は、色度センサ１と、色度測定部２と、カラーキャリブレーション部３と、目標色度出力部１１Ａとを具備してなる。
【００１３】
色度センサ１は、カラー液晶表示装置Ａ，Ｂの画面の所望箇所に取り付けられる。
色度測定部２は、色度センサ１により色度を測定する。
カラーキャリブレーション部３は、カラー液晶表示装置Ａ，Ｂの画面の基準箇所（この例では画面の中央部）で測定した色度が目標色度に一致するようにカラー液晶表示装置Ａ，Ｂを校正する。
【００１４】
目標色度出力部１１Ａは、第１カラー液晶表示装置Ａに内蔵されている。これは、目標色度（ｘｔ，ｙｔ）および補正した目標色度（ｘａ，ｙａ）を第１カラー液晶表示装置Ａに保持しておいて、第１カラー液晶表示装置Ａの保守に利用するためである。
目標色度出力部１１Ａは、操作者が設定した目標色度（ｘｔ，ｙｔ）を保持し、これを出力するか、又は、目標色度（ｘｔ，ｙｔ）を補正し、その補正した目標色度（ｘａ，ｙａ）を出力する。
【００１５】
図２は、第１カラー液晶表示装置Ａのカラー調整の手順を示すフロー図である。
ステップＳ１では、操作者は、色度センサ１を第１カラー液晶表示装置Ａの画面の中央部に設置する。また、目標色度出力部１１Ａから目標色度（ｘｔ，ｙｔ）を出力させる。そして、色度測定部２およびカラーキャリブレーション部３を作動させて、測定した色度が目標色度（ｘｔ，ｙｔ）に近くなるように第１カラー液晶表示装置Ａを校正する。なお、このカラーキャリブレーションは、予備的なものなので、測定した色度が目標色度（ｘｔ，ｙｔ）に近くなればよい。
【００１６】
ステップＳ２では、操作者は、色度センサ１を第１カラー液晶表示装置Ａの画面の左上部に設置する。そして、色度測定部２を作動させて、色度（ｘａ１，ｙａ１）を取得する。
ステップＳ３では、操作者は、色度センサ１を第１カラー液晶表示装置Ａの画面の右上部に設置する。そして、色度測定部２を作動させて、色度（ｘａ２，ｙａ２）を取得する。
ステップＳ４では、操作者は、色度センサ１を第１カラー液晶表示装置Ａの画面の中央部に設置する。そして、色度測定部２を作動させて、色度（ｘａ３，ｙａ３）を取得する。
ステップＳ５では、操作者は、色度センサ１を第１カラー液晶表示装置Ａの画面の左下部に設置する。そして、色度測定部２を作動させて、色度（ｘａ４，ｙａ４）を取得する。
ステップＳ６では、操作者は、色度センサ１を第１カラー液晶表示装置Ａの画面の右下部に設置する。そして、色度測定部２を作動させて、色度（ｘａ５，ｙａ５）を取得する。
【００１７】
ステップＳ７では、目標色度出力部１１Ａは、平均色度（ｘａｍ，ｙａｍ）を算出する。
ｘａｍ＝i=1Σ5（ｘａｉ）／５
ｙａｍ＝i=1Σ5（ｙａｉ）／５
【００１８】
ステップＳ８では、目標色度出力部１１Ａは、中央部での色度（ｘａ３，ｙａ３）と平均色度（ｘａｍ，ｙａｍ）の差分（Δｘａｍ，Δｙａｍ）を算出する。
Δｘａｍ＝ｘａ３−ｘａｍ
Δｙａｍ＝ｙａ３−ｙａｍ
【００１９】
ステップＳ９では、目標色度出力部１１Ａは、目標色度（ｘｔ，ｙｔ）に差分（Δｘａｍ，Δｙａｍ）を加算し、新たな目標色度（ｘａ，ｙａ）を算出する。
ｘａ＝ｘｔ＋Δｘａｍ
ｙａ＝ｙｔ＋Δｙａｍ
【００２０】
ステップＳ１０では、操作者は、色度センサ１を第１カラー液晶表示装置Ａの画面の中央部に設置する。また、目標色度出力部１１Ａから補正した目標色度（ｘａ，ｙａ）を出力させる。そして、色度測定部２およびカラーキャリブレーション部３を作動させて、測定した色度が目標色度（ｘａ，ｙａ）に一致するように第１カラー液晶表示装置Ａを校正する。
【００２１】
図３の（ａ）は、上記ステップＳ１の後の状態を示す概念図である。
中央部の色度（ｘａ３）は目標色度（ｘｔ）に近い値になっているが、左上部の色度（ｘａ１）や右下部の色度（ｘａ５）はやや外れている。
【００２２】
図３の（ｂ）は、上記ステップＳ８の後の状態を示す概念図である。
平均色度（ｘａｍ）と中央部の色度（ｘａ３）の差分（Δｘａｍ）が算出される。
【００２３】
図３の（ｃ）は、上記ステップＳ９の後の状態を示す概念図である。
目標色度（ｘｔ）と差分（Δｘａｍ）とから新たな目標色度（ｘａ）が算出される。
【００２４】
図３の（ｄ）は、上記ステップＳ１０の後の状態を示す概念図である。
中央部の色度（ｘａ３’）は補正した目標色度（ｘａ）に一致しているが、左上部の色度（ｘａ１’）や右下部の色度（ｘａ５’）は補正した目標色度（ｘａ）からやや外れている。
【００２５】
図４は、実施例１に係るカラー調整装置１０による第２カラー液晶表示装置Ｂのカラー調整状態を示す説明図である。
カラー調整装置１０は、色度センサ１と、色度測定部２と、カラーキャリブレーション部３と、目標色度出力部１１Ｂとを具備してなる。
【００２６】
目標色度出力部１１Ｂは、第２カラー液晶表示装置Ｂに内蔵されている。これは、目標色度（ｘｔ，ｙｔ）および補正した目標色度（ｘｂ，ｙｂ）を第２カラー液晶表示装置Ｂに保持しておいて、第２カラー液晶表示装置Ｂの保守に利用するためである。
目標色度出力部１１Ｂは、操作者が設定した目標色度（ｘｔ，ｙｔ）を保持し、これを出力するか、又は、目標色度（ｘｔ，ｙｔ）を補正し、その補正した目標色度（ｘｂ，ｙｂ）を出力する。
【００２７】
図５は、第２カラー液晶表示装置Ｂのカラー調整の手順を示すフロー図である。
ステップＳ１１では、操作者は、色度センサ１を第２カラー液晶表示装置Ｂの画面の中央部に設置する。また、目標色度出力部１１Ｂから目標色度（ｘｔ，ｙｔ）を出力させる。そして、色度測定部２およびカラーキャリブレーション部３を作動させて、測定した色度が目標色度（ｘｔ，ｙｔ）に近くなるように第２カラー液晶表示装置Ｂを校正する。
【００２８】
ステップＳ１２では、操作者は、色度センサ１を第２カラー液晶表示装置Ｂの画面の左上部に設置する。そして、色度測定部２を作動させて、色度（ｘｂ１，ｙｂ１）を取得する。
ステップＳ１３では、操作者は、色度センサ１を第２カラー液晶表示装置Ｂの画面の右上部に設置する。そして、色度測定部２を作動させて、色度（ｘｂ２，ｙｂ２）を取得する。
ステップＳ１４では、操作者は、色度センサ１を第２カラー液晶表示装置Ｂの画面の中央部に設置する。そして、色度測定部２を作動させて、色度（ｘｂ３，ｙｂ３）を取得する。
ステップＳ１５では、操作者は、色度センサ１を第２カラー液晶表示装置Ｂの画面の左下部に設置する。そして、色度測定部２を作動させて、色度（ｘｂ４，ｙｂ４）を取得する。
ステップＳ１６では、操作者は、色度センサ１を第２カラー液晶表示装置Ｂの画面の右下部に設置する。そして、色度測定部２を作動させて、色度（ｘｂ５，ｙｂ５）を取得する。
【００２９】
ステップＳ１７では、目標色度出力部１１Ｂは、平均色度（ｘｂｍ，ｙｂｍ）を算出する。
ｘｂｍ＝i=1Σ5（ｘｂｉ）／５
ｙｂｍ＝i=1Σ5（ｙｂｉ）／５
【００３０】
ステップＳ１８では、目標色度出力部１１Ｂは、中央部での色度（ｘｂ３，ｙｂ３）と平均色度（ｘｂｍ，ｙｂｍ）の差分（Δｘｂｍ，Δｙｂｍ）を算出する。
Δｘｂｍ＝ｘｂ３−ｘｂｍ
Δｙｂｍ＝ｙｂ３−ｙｂｍ
【００３１】
ステップＳ１９では、目標色度出力部１１Ｂは、目標色度（ｘｔ，ｙｔ）に差分（Δｘｂｍ，Δｙｂｍ）を加算し、新たな目標色度（ｘｂ，ｙｂ）を算出する。
ｘｂ＝ｘｔ＋Δｘｂｍ
ｙｂ＝ｙｔ＋Δｙｂｍ
【００３２】
ステップＳ２０では、操作者は、色度センサ１を第２カラー液晶表示装置Ｂの画面の中央部に設置する。また、目標色度出力部１１Ｂから補正した目標色度（ｘｂ，ｙｂ）を出力させる。そして、色度測定部２およびカラーキャリブレーション部３を作動させて、測定した色度が目標色度（ｘｂ，ｙｂ）に一致するように第２カラー液晶表示装置Ｂを校正する。
【００３３】
図６の（ａ）は、上記ステップＳ１１の後の状態を示す概念図である。
中央部の色度（ｘｂ３）は目標色度（ｘｔ）に近い値になっているが、左上部の色度（ｘｂ１）や右下部の色度（ｘｂ５）はやや外れている。
【００３４】
図６の（ｂ）は、上記ステップＳ１８の後の状態を示す概念図である。
平均色度（ｘｂｍ）と中央部の色度（ｘｂ３）の差分（Δｘｂｍ）が算出される。
【００３５】
図６の（ｃ）は、上記ステップＳ１９の後の状態を示す概念図である。
目標色度（ｘｔ）と差分（Δｘｂｍ）とから新たな目標色度（ｘｂ）が算出される。
【００３６】
図６の（ｄ）は、上記ステップＳ２０の後の状態を示す概念図である。
中央部の色度（ｘｂ３’）は補正した目標色度（ｘｂ）に一致しているが、左上部の色度（ｘｂ１’）や右下部の色度（ｘｂ５’）は補正した目標色度（ｘｂ）からやや外れている。
【００３７】
図７は、実施例１によるカラー調整後の第１カラー液晶表示装置Ａと第２カラー液晶表示装置Ｂの色度を比較した概念図である。
第１カラー液晶表示装置Ａの色度（ｘａ３’）と第２カラー液晶表示装置Ｂの中央部の色度（ｘｂ３’）は、目標色度（ｘｔ）からやや外れている。しかし、第１カラー液晶表示装置Ａの左上部の色度（ｘａ１’）と第２カラー液晶表示装置Ｂの左上部の色度（ｘｂ１’）の色度偏差は小さい。
【００３８】
図８は、従来方法によるカラー調整後の第１カラー液晶表示装置Ａと第２カラー液晶表示装置Ｂの色度を比較した概念図である。
第１カラー液晶表示装置Ａの色度（ｘａ３”）と第２カラー液晶表示装置Ｂの中央部の色度（ｘｂ３”）は、目標色度（ｘｔ）に一致している。しかし、第１カラー液晶表示装置Ａの左上部の色度（ｘａ１”）と第２カラー液晶表示装置Ｂの左上部の色度（ｘｂ１”）の色度偏差は大きい。
【００３９】
図７と図８とを比較すれば判るように、実施例１のカラー調整装置１０によれば、第１カラー液晶表示装置Ａと第２カラー液晶表示装置Ｂとの間で色が合っていないように見えるのを抑制することが出来る。また、第１カラー液晶表示装置Ａと第２カラー液晶表示装置Ｂの組合せが団体規格ＪＥＳＲＡ＿Ｘ−００９３に合格する確率を高めることが出来る。
【００４０】
３台目以降のカラー液晶表示装置についても、図２または図５と同様にカラー調整を行えばよい。
【００４１】
−実施例２−
図９は、実施例２に係るカラー調整装置２０による第１カラー液晶表示装置Ａのカラー調整状態を示す説明図である。
カラー調整装置２０は、色度センサ１と、色度測定部２と、カラーキャリブレーション部３と、目標色度出力部２１Ａとを具備してなる。
【００４２】
色度センサ１は、カラー液晶表示装置Ａ，Ｂの画面の所望箇所に取り付けられる。
色度測定部２は、色度センサ１により色度を測定する。
カラーキャリブレーション部３は、カラー液晶表示装置Ａ，Ｂの画面の基準箇所（この例では画面の中央部）で測定した色度が目標色度に一致するようにカラー液晶表示装置Ａ，Ｂを校正する。
【００４３】
目標色度出力部２１Ａは、第１カラー液晶表示装置Ａに内蔵されている。これは、目標色度（ｘｔ，ｙｔ）を第１カラー液晶表示装置Ａに保持しておいて、第１カラー液晶表示装置Ａの保守に利用するためである。
目標色度出力部２１Ａは、操作者が設定した目標色度（ｘｔ，ｙｔ）を保持し、これを出力する。
【００４４】
図１０は、第１カラー液晶表示装置Ａのカラー調整の手順を示すフロー図である。
ステップＳ２１では、操作者は、色度センサ１を第１カラー液晶表示装置Ａの画面の中央部に設置する。また、目標色度出力部２１Ａから目標色度（ｘｔ，ｙｔ）を出力させる。そして、色度測定部２およびカラーキャリブレーション部３を作動させて、測定した色度が目標色度（ｘｔ，ｙｔ）に一致するように第１カラー液晶表示装置Ａを校正する。
【００４５】
ステップＳ２２では、操作者は、色度センサ１を第１カラー液晶表示装置Ａの画面の左上部に設置する。そして、色度測定部２を作動させて、色度（ｘａ１，ｙａ１）を取得する。
ステップＳ２３では、操作者は、色度センサ１を第１カラー液晶表示装置Ａの画面の右上部に設置する。そして、色度測定部２を作動させて、色度（ｘａ２，ｙａ２）を取得する。
ステップＳ２４では、操作者は、色度センサ１を第１カラー液晶表示装置Ａの画面の中央部に設置する。そして、色度測定部２を作動させて、色度（ｘａ３，ｙａ３）を取得する。
ステップＳ２５では、操作者は、色度センサ１を第１カラー液晶表示装置Ａの画面の左下部に設置する。そして、色度測定部２を作動させて、色度（ｘａ４，ｙａ４）を取得する。
ステップＳ２６では、操作者は、色度センサ１を第１カラー液晶表示装置Ａの画面の右下部に設置する。そして、色度測定部２を作動させて、色度（ｘａ５，ｙａ５）を取得する。
【００４６】
図１１は、上記ステップＳ２１の後の状態を示す概念図である。
中央部の色度（ｘａ３）は目標色度（ｘｔ）に一致しているが、左上部の色度（ｘａ１）や右下部の色度（ｘａ５）はやや外れている。
【００４７】
図１２は、実施例２に係るカラー調整装置２０による第２カラー液晶表示装置Ｂのカラー調整状態を示す説明図である。
カラー調整装置２０は、色度センサ１と、色度測定部２と、カラーキャリブレーション部３と、目標色度出力部２１Ｂとを具備してなる。
【００４８】
目標色度出力部２１Ｂは、第２カラー液晶表示装置Ｂに内蔵されている。これは、目標色度（ｘｔ，ｙｔ）および補正した目標色度（ｘｂ，ｙｂ）を第２カラー液晶表示装置Ｂに保持しておいて、第２カラー液晶表示装置Ｂの保守に利用するためである。
目標色度出力部２１Ｂは、操作者が設定した目標色度（ｘｔ，ｙｔ）を保持し、これを出力するか、又は、目標色度（ｘｔ，ｙｔ）を補正し、その補正した目標色度（ｘｂ，ｙｂ）を出力する。
【００４９】
図１３は、第２カラー液晶表示装置Ｂのカラー調整の手順を示すフロー図である。
ステップＳ３１では、操作者は、色度センサ１を第２カラー液晶表示装置Ｂの画面の中央部に設置する。また、目標色度出力部２１Ｂから目標色度（ｘｔ，ｙｔ）を出力させる。そして、色度測定部２およびカラーキャリブレーション部３を作動させて、測定した色度が目標色度（ｘｔ，ｙｔ）に一致するように第２カラー液晶表示装置Ｂを校正する。
【００５０】
ステップＳ３２では、操作者は、色度センサ１を第２カラー液晶表示装置Ｂの画面の左上部に設置する。そして、色度測定部２を作動させて、色度（ｘｂ１，ｙｂ１）を取得する。
ステップＳ３３では、操作者は、色度センサ１を第２カラー液晶表示装置Ｂの画面の右上部に設置する。そして、色度測定部２を作動させて、色度（ｘｂ２，ｙｂ２）を取得する。
ステップＳ３４では、操作者は、色度センサ１を第２カラー液晶表示装置Ｂの画面の中央部に設置する。そして、色度測定部２を作動させて、色度（ｘｂ３，ｙｂ３）を取得する。
ステップＳ３５では、操作者は、色度センサ１を第２カラー液晶表示装置Ｂの画面の左下部に設置する。そして、色度測定部２を作動させて、色度（ｘｂ４，ｙｂ４）を取得する。
ステップＳ３６では、操作者は、色度センサ１を第２カラー液晶表示装置Ｂの画面の右下部に設置する。そして、色度測定部２を作動させて、色度（ｘｂ５，ｙｂ５）を取得する。
【００５１】
ステップＳ３７では、目標色度出力部２１Ｂは、差分（Δｘｉ）を算出する。
Δｘｉ＝ｘａｉ−ｘｂｉ
Δｙｉ＝ｙａｉ−ｙｂｉ
ｉ＝１，２，３，４，５
【００５２】
ステップＳ３８では、目標色度出力部２１Ｂは、平均差分（ｘｂｍ）を算出する。
ｘｂｍ＝i=1Σ5（Δｘｉ）／５
【００５３】
ステップＳ３９では、目標色度出力部２１Ｂは、差分（Δｘｉ，Δｙｉ）を算出する。
Δｘｉ＝ｘａｉ−ｘｂｉ
Δｙｉ＝ｙａｉ−ｙｂｉ
ｉ＝１，２，３，４，５
【００５４】
ステップＳ３８では、目標色度出力部２１Ｂは、平均差分（Δｘｂｍ，Δｙｂｍ）を算出する。
Δｘｂｍ＝i=1Σ5（Δｘｉ）／５
Δｙｂｍ＝i=1Σ5（Δｙｉ）／５
【００５５】
ステップＳ３９では、目標色度出力部２１Ｂは、目標色度（ｘｔ，ｙｔ）に平均差分（Δｘｂｍ，Δｙｂｍ）を加算し、新たな目標色度（ｘｂ，ｙｂ）を算出する。
ｘｂ＝ｘｔ＋Δｘｂｍ
ｙｂ＝ｙｔ＋Δｙｂｍ
【００５６】
ステップＳ４０では、操作者は、色度センサ１を第２カラー液晶表示装置Ｂの画面の中央部に設置する。また、目標色度出力部２１Ｂから補正した目標色度（ｘｂ，ｙｂ）を出力させる。そして、色度測定部２およびカラーキャリブレーション部３を作動させて、測定した色度が目標色度（ｘｂ，ｙｂ）に一致するように第２カラー液晶表示装置Ｂを校正する。
【００５７】
図１４の（ａ）は、上記ステップＳ３１の後の状態を示す概念図である。
中央部の色度（ｘｂ３）は目標色度（ｘｔ）に一致しているが、左上部の色度（ｘｂ１）や右下部の色度（ｘｂ５）はやや外れている。
【００５８】
図１４の（ｂ）は、上記ステップＳ３７の後の状態を示す概念図である。
色度（ｘａｉ）と色度（ｘｂｉ）の差分（Δｘｉ）が算出される。
【００５９】
図１４の（ｃ）は、上記ステップＳ３８の後の状態を示す概念図である。
差分（Δｘｉ）から平均差分（Δｘｂｍ）が算出される。
【００６０】
図１４の（ｄ）は、上記ステップＳ３９の後の状態を示す概念図である。
目標色度（ｘｔ）と平均差分（Δｘｂｍ）とから新たな目標色度（ｘｂ）が算出される。
【００６１】
図１４の（ｅ）は、上記ステップＳ４０の後の状態を示す概念図である。
中央部の色度（ｘｂ３’）は補正した目標色度（ｘｂ）に一致しているが、左上部の色度（ｘｂ１’）や右下部の色度（ｘｂ５’）は補正した目標色度（ｘｂ）からやや外れている。
【００６２】
図１５は、実施例２によるカラー調整後の第１カラー液晶表示装置Ａと第２カラー液晶表示装置Ｂの色度を比較した概念図である。
第１カラー液晶表示装置Ａの色度（ｘａ３’）は目標色度（ｘｔ）に一致しているが、第２カラー液晶表示装置Ｂの中央部の色度（ｘｂ３’）は目標色度（ｘｔ）からやや外れている。しかし、第１カラー液晶表示装置Ａの左上部の色度（ｘａ１’）と第２カラー液晶表示装置Ｂの左上部の色度（ｘｂ１’）の色度偏差は小さい。
【００６３】
図１６は、従来方法によるカラー調整後の第１カラー液晶表示装置Ａと第２カラー液晶表示装置Ｂの色度を比較した概念図である。
第１カラー液晶表示装置Ａの色度（ｘａ３”）と第２カラー液晶表示装置Ｂの中央部の色度（ｘｂ３”）は、目標色度（ｘｔ）に一致している。しかし、第１カラー液晶表示装置Ａの左上部の色度（ｘａ１”）と第２カラー液晶表示装置Ｂの左上部の色度（ｘｂ１”）の色度偏差は大きい。
【００６４】
図１５と図１６とを比較すれば判るように、実施例２のカラー調整装置２０によれば、第１カラー液晶表示装置Ａと第２カラー液晶表示装置Ｂとの間で色が合っていないように見えるのを抑制することが出来る。また、第１カラー液晶表示装置Ａと第２カラー液晶表示装置Ｂの組合せが団体規格ＪＥＳＲＡ＿Ｘ−００９３に合格する確率を高めることが出来る。
【００６５】
３台目以降のカラー液晶表示装置についても、図１３と同様にカラー調整を行えばよい。
【００６６】
−実施例３−
図１７，図１８は、実施例３に係るカラー調整装置３０によるカラー液晶表示装置Ａ，Ｂのカラー調整状態を示す説明図である。
このカラー調整装置３０は、色度センサ１と、色度測定部２と、カラーキャリブレーション部３と、目標色度出力部１１とを具備してなる。
【００６７】
目標色度出力部１１は、カラー液晶表示装置Ａ，Ｂとは別体であり、図１７に示すように第１カラー液晶表示装置Ａを調整するときは実施例１の目標色度出力部１１Ａのように動作し、図１８に示すように第２カラー液晶表示装置Ｂを調整するときは実施例１の目標色度出力部１１Ｂのように動作する。
【００６８】
−実施例４−
図１９，図２０は、実施例４に係るカラー調整装置４０によるカラー液晶表示装置Ａ，Ｂのカラー調整状態を示す説明図である。
このカラー調整装置４０は、色度センサ１と、色度測定部２と、カラーキャリブレーション部３と、目標色度出力部２１とを具備してなる。
【００６９】
目標色度出力部２１は、カラー液晶表示装置Ａ，Ｂとは別体であり、図１９に示すように第１カラー液晶表示装置Ａを調整するときは実施例２の目標色度出力部２１Ａのように動作し、図２０に示すように第２カラー液晶表示装置Ｂを調整するときは実施例２の目標色度出力部２１Ｂのように動作する。
【産業上の利用可能性】
【００７０】
本発明のカラー調整方法およびカラー調整方法は、マルチモニターのカラー調整に利用することが出来る。
【符号の説明】
【００７１】
１              色度センサ
２              色度測定部
３              カラーキャリブレーション部
１０，２０      カラー調整装置
１１Ａ，１１Ｂ，２１Ａ，２１Ｂ，１１，２１      目標色度出力部
【図１】
2010212937.tif 000003
【図２】
2010212937.tif 000004
【図３】
2010212937.tif 000005
【図４】
2010212937.tif 000006
【図５】
2010212937.tif 000007
【図６】
2010212937.tif 000008
【図７】
2010212937.tif 000009
【図８】
2010212937.tif 000010
【図９】
2010212937.tif 000011
【図１０】
2010212937.tif 000012
【図１１】
2010212937.tif 000013
【図１２】
2010212937.tif 000014
【図１３】
2010212937.tif 000015
【図１４】
2010212937.tif 000016
【図１５】
2010212937.tif 000017
【図１６】
2010212937.tif 000018
【図１７】
2010212937.tif 000019
【図１８】
2010212937.tif 000020
【図１９】
2010212937.tif 000021
【図２０】
2010212937.tif 000022